(57)【要約】      （修正有）【課題】頭の禿げた部分や白髪を目立たなくする帽子を提供する。【解決手段】帽子様の物で、帽子下部のベルト部１の上に、メッシュ様３の通気の良い素材でドームを作り、その上に人髪毛を覆い、その上をネット５で被せる。これで、通常の髪型の人が、髪の乱れを防ぐため、頭に巻いたターバン１の上にネット５を掛けているように見せかけることが出来、外出時はつばを着用する様にした帽子を提供する。【選択図】図１
2014139353.tif 000002
【特許請求の範囲】
【請求項１】
外観は帽子の形をして居る物で、帽子下部の丸いベルト部「ターバン」の上に、固くした布，又は布様素材で、ドームの骨支を作り，其の骨支の上にメッシュ、又はメッシュ様の風通しの良い素材で覆をする、其のドーム型のメッシュの上を、「人髪毛、又は人工髪毛」を持って頭髪が生えている様に覆う、「髪型が出来上がった其の上に」、ネットを掛ける様にして、「ネット」で覆ってある物で、一見、「ターバンを頭に巻き、通常の頭髪の上に、髪の乱れを防ぐために、軽く「ネット」を掛けた物を被っている。」様に見える事を特徴とする、白髪・禿げ隠し、「おしゃれハット」。
【請求項２】
「ターバン」には、着脱式の「ツバ」が構成され、屋外に出る時は、「ツバ」を着用し、室内では「ツバ」を外して使用出来る様に成っていて、「ターバン」の下、後方に「後ろ髪」が、「人髪毛、又は人工髪毛乃至布」で形成されて居ることを特徴とする、上記［請求項１］記載の、白髪・禿げ隠し、「おしゃれハット」。
【発明の詳細な説明】
【技術分野】
【０００１】本発明は、黒い頭の中の禿げた部分は、人前で特にヒカルものである、又白髪も気になる物である、此のヒカル頭や、白髪を隠し、また其の頭を保護する為の帽子に関す物である。
【背景技術】
【０００２】従来はカツラが有るが，個々に合わせるのに、問題があり値段も高い。又帽子の上に毛髪を付けた物［特許文献４］、「禿げ頭にならない帽子」［特許文献１］等がある。
【先行技術文献】
【特許文献】
【０００３】
【特許文献１】特許公開  ２００６−０３７３１８  禿げ頭にならない帽子
【０００４】
【特許文献２】特許公開  ２００２−１２９４２４  禿げ頭を直す帽子
【０００５】
【特許文献３】特許公開  平０９−２０６３８９  育毛促進帽子
【０００６】
【特許文献４】特許  ２００１−３０４１５９（平１３，８，２７）
【０００７】
【特許文献５】特許公開平０９−１２２２５３  磁気を利用した健康帽子
【０００８】
【特許文献６】実用新案公開平０６−０４６７４４  健康帽子
【発明の概要】
【発明が解決しようとする課題】
【０００９】カツラを仰々しく使用するので無く、また室内でも使用出来る帽子で、上記［０００１］の目的を果たす事の出来る方法を解決しようとする物である。
【課題を解決する為の手段】
【０００１０】  帽子様の物で、帽子下部のベルト部「ターバン」の上に、メツシュ様の通気の良い素材でドームを作り，その上に人髪毛，又は人工髪毛で、頭髪が生えている様に覆い、それが出来た上に、ネットを被せる。これで通常の髪型の人が、髪の乱れを防ぐため、頭に巻いたターバンの上にネットを掛けている様に見せかけることが出来る物で有る。
又屋外に出る時は、つばを、着用する様にしたものである。
【発明の効果】
【０００１１】毛髪の薄く成った頭は，此れの使用で、冬は暖かく夏は涼しく、人前に出て、頭のテカリを気にする必要が無く，「つば」を外し、室内で使用出来るので、精神的な苦痛から解放された生活を送ることが出来、若さを取り戻し、働く意欲が湧いて来る効果のある物である。
【符号の説明】
【０００１２】［図１］の、１はターバン。
［図１］の、２は骨支。
［図１］の、３はメッシュ。
［図１］の、４は人髪毛・人工髪毛。
［図１］の、５はネット。
［図１］の、６はつば。
［図１］の、７は後ろ髪。
［図１］の、８はつばの留め具。
【図１】
2014139353.tif 000003
【図２】
2014139353.tif 000004
【図３】
2014139353.tif 000005
【図４】
2014139353.tif 000006
【図５】
2014139353.tif 000007
【図６】
2014139353.tif 000008
【図７】
2014139353.tif 000009
【図８】
2014139353.tif 000010
【手続補正書】
【提出日】平成25年3月11日(2013.3.11)
【手続補正１】
【補正対象書類名】明細書
【補正対象項目名】全文
【補正方法】変更
【補正の内容】
【発明の詳細な説明】
【技術分野】
【０００１】本発明は、黒い頭の中の禿げた部分は、人前で特にヒカルものである、又白髪も気になる物である、此のヒカル頭や、白髪を隠し、また其の頭を保護する為の帽子に関する物である。
【背景技術】
【０００２】従来はカツラが有るが，個々に合わせるのに、問題があり値段も高い。又帽子の上に毛髪を付けた物［特許文献４］、「禿げ頭にならない帽子」［特許文献１］等がある【０００３】
【特許文献１】特許公開  ２００６−０３７３１８  禿げ頭にならない帽子
【０００４】
【特許文献２】特許公開  ２００２−１２９４２４禿げ頭を直す帽子
【０００５】
【特許文献３】特許公開  平０９−２０６３８９  育毛促進帽子
【０００６】
【特許文献４】特許  ２００１−３０４１５９（平１３，８，２７）
【０００７】
【特許文献５】特許公開平０９−１２２２５３  磁気を利用した健康帽子
【０００８】
【特許文献６】実用新案公開平０６−０４６７４４  健康帽子
【発明の概要】
【発明が解決しようとする課題】
【０００９】カツラを仰々しく使用するので無く、また室内でも使用出来る帽子で、上記［０００１］の目的を果たす事の出来る方法を解決しようとする物である。
【課題を解決する為の手段】
【０００１０】  帽子様の物で、帽子下部のベルト部「ターバン」の上に、メツシュ様の通気の良い素材でドームを作り，その上に人髪毛，又は人工髪毛で、頭髪が生えている様に覆い、それが出来た上に、ネットを被せる。これで通常の髪型の人が、髪の乱れを防ぐため、頭に巻いたターバンの上にネットを掛けている様に見せかけることが出来る物で有る。
【発明の効果】
【０００１１】  毛髪の薄く成った頭は、此れの使用で、冬は暖かく夏は涼しく、人前に出て、頭のテカリを気にする必要が無く、「つば」を外し、室内で使用来るので、精神的な苦痛から解放された生活を送る事が出来、若さを取り戻し、働く意欲が湧いてくる効果のある物である。
【図面の簡単な説明】
【００１２】
【図１】は、白髪・禿げ隠し、おしゃれハット。の斜視図である。
【図２】は、白髪・禿げ隠し、おしゃれハット。の  つばを外した。図である。
【符号の説明】
【００１３】［図１］の、１はターバン。
［図１］の、２は骨支。
［図１］の、３はメッシュ。
［図１］の、４は人髪毛・人工ハツモウ。
［図１］の、５はネット。
［図１］の、６はつば。
［図１］の、７は後ろ髪。
［図１］の、８はつばの留め具。
［図２］の、１はターバン。
［図２］の、２は骨支。
［図２］の、３はメッシュ。
［図２］の、４は人髪毛・人工髪毛。
［図２］の、５はネット。
［図２］の、７は後ろ髪。
［図２］の、８はつばの留め具。
【手続補正書】
【提出日】平成25年7月2日(2013.7.2)
【手続補正１】
【補正対象書類名】特許請求の範囲
【補正対象項目名】全文
【補正方法】変更
【補正の内容】
【特許請求の範囲】
【請求項１】
ターバン風の円形基枠にドーム状に組んだ支骨を取り付け、前記支骨の全体を覆うようにメッシュ材を張設し、前記メッシュ材上に人毛又は人工毛の毛髪を実際の頭髪の態様に定着し、前記毛髪上に前記毛髪を押えるようにネット材を被装して成る禿頭・白髪隠蔽用帽体。
【請求項２】
前記円形基枠につばを着脱自在に取り付けた、請求項１に記載の禿頭・白髪隠蔽用帽体。
【請求項３】
前記円形基枠に、その後方から垂れるようにして、人毛又は人工毛、あるいは、布で形成した後ろ髪状物を配設した、請求項１又は２に記載の禿頭・白髪隠蔽用帽体。
【手続補正２】
【補正対象書類名】明細書
【補正対象項目名】全文
【補正方法】変更
【補正の内容】
【発明の詳細な説明】
【技術分野】
【０００１】
本発明は禿頭・白髪隠蔽用帽体に関するものであり、より詳細には、禿頭の人がその禿頭を隠蔽し、また、白髪の人がその白髪を隠蔽するために着用する禿頭・白髪隠蔽用帽体に関するものである。
【背景技術】
【０００２】
禿頭の人の多くはその禿頭を気にして隠蔽したがり、また、禿頭の人ほどではないが、白髪の人もその白髪を気にして隠蔽したがる人が少なくない。このような禿頭や白髪隠蔽のための手段としては、カツラが一般的であるが、カツラは装着に手間がかかり、また、一見してカツラとは分からないようなものは非常に高価であって、利用者が限られる。
【０００３】
従来、カツラと帽子を組み合わせて手軽に使用し得るようにしたものとして、特開２００３−６４５２０号公報（特許文献４）に記載のカツラをつけた帽子があるが、それはキャップを形成するネットベース上に毛髪を植え付け、平ゴムで縁取りを固定してひさしを取り付けたものであって、カツラの仰々しさが残るものである。
【先行技術文献】
【特許文献】
【０００４】
【特許文献１】特開２００６−３７３１８号公報
【特許文献２】特開２００２−１２９４２４号公報
【特許文献３】特開平９−２０６３８９号公報
【特許文献４】特開２００３−６４５２０号公報
【特許文献５】特開平９−１２２２５３号公報
【特許文献６】実開平６−４６７４４号公報
【発明の概要】
【発明が解決しようとする課題】
【０００５】
上記従来のカツラをつけた帽子は、要するに、カツラにひさしを取り付けたもので、カツラの仰々しさが残るものである。そこで、本発明は、カツラのような仰々しさがなく、室内外を問わず手軽に着用でき、その着用により禿頭や白髪頭を隠蔽することができる禿頭・白髪隠蔽用帽体を提供することを課題とする。
【課題を解決するための手段】
【０００６】
上記課題を解決するための請求項１に係る発明は、ターバン風の円形基枠にドーム状に組んだ支骨を取り付け、前記支骨の全体を覆うようにメッシュ材を張設し、前記メッシュ材上に人毛又は人工毛の毛髪を実際の頭髪の態様に定着し、前記毛髪上に前記毛髪を押えるようにネット材を被装して成る禿頭・白髪隠蔽用帽体である。
【０００７】
一実施形態においては、前記円形基枠につばを着脱自在に取り付け、また、前記円形基枠に、その後方から垂れるようにして、人毛又は人工毛、あるいは、布で形成した後ろ髪状物を配設する。
【発明の効果】
【０００８】
本発明に係る禿頭・白髪隠蔽用帽体は上記のとおりであって、毛髪上に毛髪を押えるようにネット材が被装されることで、見る者に、髪の乱れを防止するために頭にネットを被っているとのイメージを与えるため、カツラのような仰々しさがなく室内外を問わず手軽に着用でき、その着用により、不自然さを感じさせることなく禿頭や白髪頭を隠蔽することができる効果がある。
【図面の簡単な説明】
【０００９】
【図１】本発明に係る禿頭・白髪隠蔽用帽体のつば取付時における全体形状を示す斜視図である。
【図２】本発明に係る禿頭・白髪隠蔽用帽体のつば取り外し時における全体形状を示す斜視図である。
【図３】本発明に係る禿頭・白髪隠蔽用帽体の円形基枠を示す斜視図である。
【図４】本発明に係る禿頭・白髪隠蔽用帽体における円形基枠に対する支骨の取り付け状態を示す斜視図である。
【図５】本発明に係る禿頭・白髪隠蔽用帽体における支骨上へのメッシュ材の取り付け状態を示す斜視図である。
【図６】本発明に係る禿頭・白髪隠蔽用帽体におけるメッシュ材上への毛髪の取り付け状態を示す斜視図である。
【図７】本発明に係る禿頭・白髪隠蔽用帽体における毛髪上へのネット材の取り付け状態を示す斜視図である。
【図８】本発明に係る禿頭・白髪隠蔽用帽体の円形基枠に対するつばの着脱状態を示す斜視図である。
【発明を実施するための形態】
【００１０】
本発明の実施の形態について添付図面を参照しつつ説明する。本発明に係る禿頭・白髪隠蔽用帽体１は、ターバン風の円形基枠２にドーム状に組んだ支骨３を取り付け、支骨３の全体を覆うようにメッシュ材４を張設し、メッシュ材４上に人毛又は人工毛の毛髪５を定着し、毛髪５上に毛髪５を押えるようにネット材６を被装して構成される。
【００１１】
円形基枠２は帽体１の下部を構成するターバン風のもので、一実施形態においては、つば７が着脱可能に取り付けられる（図１、２、８参照）。例えば、このつば７は、帽体１を室内において着用する場合には外し（図２参照）、外出時に取り付けるようにする（図１参照）。また、一実施形態においては、円形基枠２の後方から垂れるようにして、人毛又は人工毛、あるいは、布で形成した後ろ髪状物８が配設される（図１、２、８参照）。
【００１２】
支骨３は、固めに構成した布又は布様素材の帯状材から成る縦材を１本前後に渡し、これに、同様の帯状材を複数本横に渡したものを、ドーム状に成形したものである（図４参照）。
【００１３】
メッシュ材４は、ドーム状の支骨３全体を覆うように被装され、端縁が円形基枠１の内側に収まるようにされる（図５参照）。
【００１４】
メッシュ材４上には、その全体を覆うように人毛又は人工毛の毛髪５が実際の頭髪の態様に定着され（図６参照）、更に、毛髪５の全体を覆うようにネット材６が被装される（図７参照）。このネット材６は、見る者に、髪の乱れを防止するために頭に被っているネットであるとのイメージを与えるものである。
【００１５】
上記構成の帽体１の場合は、カツラのような仰々しさがなく、一般の帽子と同じ要領で手軽に着用することができ、その着用により頭部を隠し、禿頭や白髪を隠蔽することができる。そして、毛髪５を覆うようにネット材６が被装されていて、このネット材６が、見る者に、髪の乱れを防止するために頭に被ったネットであるとのイメージを与えるため、不自然さがない。
【符号の説明】
【００１６】
１    帽体
２    円形基枠
３    支骨
４    メッシュ材
５    毛髪
６    ネット材
７    つば
８    後ろ髪状物
【手続補正３】
【補正対象書類名】図面
【補正対象項目名】全図
【補正方法】変更
【補正の内容】
【図１】
2014139353.tif 000011
【図２】
2014139353.tif 000012
【図３】
2014139353.tif 000013
【図４】
2014139353.tif 000014
【図５】
2014139353.tif 000015
【図６】
2014139353.tif 000016
【図７】
2014139353.tif 000017
【図８】
2014139353.tif 000018